(57)【要約】      （修正有）【課題】仮設足場の昇降用側面開口部を十分に開放するとともに、通路と昇降手段との間で移動する作業者が比較的容易に開閉操作できる仮設足場の落下防止手段を提供する。【解決手段】仮設足場の引戸式又はスライドバー式開閉装置は、仮設足場の側面開口部に落下防止手段として設置され、昇降時に開閉操作される。開閉装置は、上下の水平縁部を有するスライド式扉４０又はスライドバーと、扉の上側縁部及び下側縁部、或いは、バーの上側面及び下側面を扉又はバーの幅方向又は軸線方向に水平移動可能に支承する上下二対の支承具２３ａ〜２３ｄとを有する。第１支承具２３ａは、第２支承具２３ｂの開口部側に所定間隔を隔てて配置され、第３支承具２３ｃは、第４支承具２３ｄの開口部側に所定間隔を隔てて配置される。扉又はバーは、各支承具によって面内方向又は軸線方向に水平移動可能に支持される。【選択図】図２
0003171964.tif 000002
【実用新案登録請求の範囲】
【請求項１】
仮設足場の側面開口部に落下防止手段として設置され、昇降時に開閉操作される仮設足場の引戸式開閉装置であって、
上下の水平縁部を有するスライド式扉と、
前記扉の上側縁部を該扉の幅方向に水平移動可能に支承する第１及び第２支承具と、
前記扉の下側縁部を該扉の幅方向に水平移動可能に支承する第３及び第４支承具と、
前記仮設足場に固定され且つ前記第１、第２、第３及び第４支承具を支持する支柱とを有し、
前記第１支承具は、前記第２支承具の開口部側に所定間隔を隔てて配置され、前記第３支承具は、前記第４支承具の開口部側に所定間隔を隔てて配置されており、
前記扉は、前記第１、第２、第３及び第４支承具によって面内方向に水平移動可能に支持されることを特徴とする仮設足場の引戸式開閉装置。
【請求項２】
前記扉は、金属管を一体化した正面視矩形又は方形の枠体からなり、前記第１及び第２支承具は、前記扉の上枠を構成する前記金属管の上側面に転接する一対のローラからなり、前記第３及び第４支承具は、前記扉の下枠を構成する前記金属管の下側面に転接する一対のローラからなることを特徴とする請求項１に記載の引戸式開閉装置。
【請求項３】
前記扉の重心移動によって該扉に作用する力学的モーメント（Ｍ：Ｍ’）に抗する反力（Ｒ、Ｒ’）が、移動時の前記扉の傾斜又は傾倒を防止するように、前記第１及び第４支承具、或いは、第２及び第３支承具に作用することを特徴とする請求項１又は２に記載の引戸式開閉装置。
【請求項４】
前記第１及び第３支承具は上下方向に整列配置され、前記第２及び第４支承具は上下方向に整列配置されることを特徴とする請求項１乃至３のいずれか１項に記載の引戸式開閉装置。
【請求項５】
前記枠体は、上下の水平管と、該水平管の開口部側端部に一体的に連接する垂直管と、開口部の反対の側において上下の水平管の端部に分離可能に連結した補強管とから構成されることを特徴とする請求項２に記載の引戸式開閉装置。
【請求項６】
前記扉は、前記上枠及び下枠の間に配置された水平な中桟を有し、前記支柱は、前記中桟が水平移動可能に貫通する貫通孔を有することを特徴とする請求項２又は５に記載の引戸式開閉装置。
【請求項７】
前記扉は、前記支柱に衝合して前記扉の水平移動を制限する移動阻止手段を有することを特徴とする請求項１乃至６のいずれか１項に記載の引戸式開閉装置。
【請求項８】
前記支柱は、前記上枠及び下枠が夫々貫通する上下一対の水平管部分と、該水平管部分を支持する垂直管部分とを有し、上下の前記水平管部分は上下対称な構造を有し、前記水平管部分は、前記ローラを部分的に管内領域に収容するための切欠き部を備えるとともに、前記ローラを軸支する水平支軸を備えており、該水平支軸の中心軸線は、前記扉の移動方向と直交する方向に配向されることを特徴とする請求項２に記載の引戸式開閉装置。
【請求項９】
前記扉は、可撓性線材からなる索条と、該索条に連結された係留具と、該係留具を係止可能な係留具保持手段とを有し、前記索条は、仮設足場の構成部材を周回して前記係留具保持手段に係留され、前記扉を閉鎖位置に保持することを特徴とする請求項１乃至８に記載の引戸式開閉装置。
【請求項１０】
仮設足場の側面開口部に落下防止手段として設置され、昇降時に開閉操作される仮設足場のスライドバー式開閉装置であって、
水平に延びるスライドバーと、
前記スライドバーの上側面を該スライドバーの軸線方向に水平移動可能に支承する第１及び第２支承具と、
前記スライドバーの下側面を該スライドバーの軸線方向に水平移動可能に支承する第３及び第４支承具と、
前記仮設足場に固定され且つ前記第１、第２、第３及び第４支承具を支持する水平支持管とを有し、
前記第１支承具は、前記第２支承具の開口部側に所定間隔を隔てて配置され、前記第３支承具は、前記第４支承具の開口部側に所定間隔を隔てて配置されており、
前記スライドバーは、前記第１、第２、第３及び第４支承具によって軸線方向に水平移動可能に支持されることを特徴とする仮設足場のスライドバー式開閉装置。
【請求項１１】
前記スライドバーの重心移動によって該スライドバーに作用する力学的モーメントに抗する反力が、移動時の前記スライドバーの傾斜又は傾倒を防止するように、前記第１及び第４支承具、或いは、第２及び第３支承具に作用することを特徴とする請求項１０に記載のスライドバー式開閉装置。
【請求項１２】
前記第１及び第３支承具は上下方向に整列配置され、前記第２及び第４支承具は上下方向に整列配置されることを特徴とする請求項１０又は１１に記載のスライドバー式開閉装置。
【請求項１３】
前記スライドバーの水平移動を制限する移動阻止手段を有することを特徴とする請求項１０乃至１２のいずれか１項に記載のスライドバー式開閉装置。
【請求項１４】
前記水平支持管は、前記ローラを部分的に管内領域に収容するための切欠き部を備えるとともに、前記ローラを軸支する水平支軸を備えており、該水平支軸の中心軸線は、前記スライドバーの移動方向と直交する方向に配向されることを特徴とする請求項１０乃至１３のいずれか１項に記載のスライドバー式開閉装置。
【請求項１５】
前記スライドバーは、可撓性線材からなる索条と、該索条に連結された係留具と、該係留具を係止可能な係留具保持手段とを有し、前記索条は、仮設足場の構成部材を周回して前記係留具保持手段に係留され、前記扉を閉鎖位置に保持することを特徴とする請求項１０乃至１４のいずれか１項に記載のスライドバー式開閉装置。
【考案の詳細な説明】
【技術分野】
【０００１】
本考案は、仮設足場の昇降用側面開口の開閉装置に関するものであり、より詳細には、仮設足場の昇降用側面開口に落下防止手段として設けられる昇降用側面開口の開閉装置に関するものである。
【背景技術】
【０００２】
建築物又は土木構造物の建設工事に使用される仮設足場として、枠組足場及び単管足場が広く実用に供されている。枠組足場は、建枠を建込み、床付き布枠を作業用足場板として建枠の各層に架設することにより建設予定又は建設中の建物の外側に構築され、建設工事の進捗に相応して建枠を上層に順次建込むことによって上層に延長され、建設工事の完了直前の適切な時期に解体される。他方、単管足場は、建設工事の進捗に相応して単管（鋼管）を上層に順次建込む形式の仮設足場である。単管足場は、地盤面の敷板上に固定型ベース金具を所定間隔に配置し、鋼管製の建地を建込むとともに、根がらみ、腕木、布、中桟、手摺及び筋交い等を構成する鋼管を緊結金具（クランプ金具）によって緊結し、足場板を腕木上に敷設することにより組立てられる。単管足場は、枠組足場と同じく、建設工事の完了直前の適切な時期に解体される。
【０００３】
このような仮設足場の昇降手段又は上下移動手段として仮設階段や梯子等が使用されるが、このような昇降手段又は上下移動手段を設置した部分には、手摺を設けない開口、即ち、昇降口が設けられる。一般に、梯子等のように昇降に注意を要する昇降手段又は上下移動手段の場合には、作業員の落下防止手段として、開閉扉やチェーン等が昇降口に配設される。例えば、このような開閉扉は、実用新案登録公報第3033217号公報に記載されている。
【０００４】
図１５は、従来の片開き式開閉扉を昇降口に設置した状態を示す単管足場の部分平面図であり、図１６は、チェーンを昇降口に設置した状態を示す単管足場の部分平面図である。
【０００５】
図１５に示す如く、単管足場１は、建地２、布（図示せず）、腕木３、手摺４、中桟５、筋交い（図示せず）及び足場板６等を多層構造に組立てた全体構成を有し、建設中の建築物Ａの外壁面に沿って配置される。建地２、腕木３、手摺４、中桟５等の部材は、緊結金具（クランプ金具）７によって相互連結される。昇降口Ｐは、手摺４及び中桟５を設けない仮設足場の側面開口からなり、梯子Ｓを支持する支持杆８が昇降口Ｐに隣接して単管足場１の側方に突出する。昇降口Ｐには、仮設足場の内方に枢動可能な片開き式の開閉扉Ｑが落下防止手段として設置される。開閉扉Ｑは、鋼管（鋼製パイプ）を方形に組付けた枠体からなり、緊結金具７等によって建地２に回動可能に支持される。作業者は、梯子Ｓから足場板６への移動や、足場板６から梯子Ｓへの移動に際し、開閉扉Ｑを回動させて昇降口Ｐを過渡的に開放することができる。
【０００６】
他方、図１６に示すように、緊結金具７等によって金属製チェーンＣを昇降口Ｐの両側の手摺４（及び／又は中桟５）に係留することにより、昇降口Ｐを閉鎖する落下防止手段が知られている。このようなチェーンＣを用いた落下防止手段によれば、チェーンＣの一端を解放することにより、昇降口Ｐを完全に解放することができる。
【先行技術文献】
【特許文献】
【０００７】
【特許文献１】実用新案登録公報第3033217号公報
【考案の概要】
【考案が解決しようとする課題】
【０００８】
しかしながら、図１５に示すように２枚の足場板６を並列に敷設した仮設足場においては、通路幅Ｗは、約５００mmであるのに対し、開閉扉Ｑの幅Ｄは、作業者の昇降動作等を考慮し、約６００mm以上の寸法に設定される。このため、図１５に仮想線で示すように開閉扉Ｑが回動すると、開閉扉Ｑの先端部分が反対側の手摺４又は中桟５に衝合し、従って、開閉扉Ｑは、角度９０度程度まで十分に開放しない。
【０００９】
他方、図１６に示すようにチェーンＣを用いた落下防止手段によれば、チェーンＣの一端の解放により、昇降口Ｐを完全に解放することができる。しかし、チェーンＣの係留及び解放操作は、操作性が悪く、殊に、梯子Ｓと足場板６との間で移動する際の作業者の操作としては、望ましいものとは言い難い。
【００１０】
本考案は、このような課題に鑑みてなされたものであり、その目的とするところは、通路幅を比較的狭い寸法に設定した仮設足場においても昇降用の側面開口部を十分に開放することができ、しかも、通路と昇降手段との間で移動する作業者が比較的容易に開閉操作することができ、加えて、手摺としても十分な強度を有する仮設足場の昇降用側面開口の開閉装置を提供することにある。
【課題を解決するための手段】
【００１１】
上記目的を達成すべく、本考案は、仮設足場(1)の側面開口部(P)に落下防止手段として設置され、昇降時に開閉操作される仮設足場の引戸式開閉装置(10)であって、
上下の水平縁部を有するスライド式扉(40)と、
前記扉の上側縁部を該扉の幅方向に水平移動可能に支承する第１及び第２支承具(23a:23b)と、
前記扉の下側縁部を該扉の幅方向に水平移動可能に支承する第３及び第４支承具(23c:23d)と、
前記仮設足場に固定され且つ前記第１、第２、第３及び第４支承具を支持する支柱(20)とを有し、
前記第１支承具(23a)は、前記第２支承具(23b)の開口部(P)側に所定間隔を隔てて配置され、前記第３支承具(23c)は、前記第４支承具(23d)の開口部(P)側に所定間隔を隔てて配置されており、
前記扉は、前記第１、第２、第３及び第４支承具によって面内方向(X)に水平移動可能に支持されることを特徴とする仮設足場の引戸式開閉装置を提供する。
【００１２】
本発明は又、仮設足場(1)の側面開口部(P)に落下防止手段として設置され、昇降時に開閉操作される仮設足場のスライドバー式開閉装置(70)であって、
水平に延びるスライドバー(80)と、
前記スライドバーの上側面を該スライドバーの軸線方向に水平移動可能に支承する第１及び第２支承具(73a:73b)と、
前記スライドバーの下側面を該スライドバーの軸線方向に水平移動可能に支承する第３及び第４支承具(73c:73d)と、
前記仮設足場に固定され且つ前記第１、第２、第３及び第４支承具を支持する水平支持管(72)とを有し、
前記第１支承具(73a)は、前記第２支承具(73b)の開口部(P)側に所定間隔を隔てて配置され、前記第３支承具(73c)は、前記第４支承具(73d)の開口部(P)側に所定間隔を隔てて配置されており、
前記スライドバーは、前記第１、第２、第３及び第４支承具によって軸線方向(X)に水平移動可能に支持されることを特徴とする仮設足場のスライドバー式開閉装置を提供する。
【００１３】
上記構成の引戸式開閉装置又はスライドバー式開閉装置によれば、支柱又は水平支持管は少なくとも上下二対の支承具を有し、開閉操作時に扉又はスライドバーに作用する力学的モーメント(M:M')は、支承具に作用する反力(R:R')によって支持され又は打ち消される。従って、扉又はスライドバーは、安定した姿勢で円滑に水平移動し、仮設足場の側面開口部を開放し又は閉鎖するので、通路と昇降手段との間で移動する作業者は、比較的容易に扉又はスライドバーを開閉操作することができる。しかも、引戸又はスライドバーは、手摺又は中桟に沿った扉又はスライドバーの水平移動により側面開口部を開放し又は閉鎖するので、通路幅が比較的狭い仮設足場において反対側の手摺又は中桟に衝合する従来の片開き式開閉扉と異なり、このような仮設足場においても側面開口部を十分に開口することができる。また、静止時の扉又はスライドバーは、少なくとも２つの支点で常に支持されるので、手摺としても十分な強度を有する。
【考案の効果】
【００１４】
本考案によれば、通路幅を比較的狭い寸法に設定した仮設足場においても昇降用の側面開口部を十分に開放することができ、しかも、通路と昇降手段との間で移動する作業者が比較的容易に開閉操作することができ、加えて、手摺としても十分な強度を有する仮設足場の昇降用側面開口の開閉装置を提供することができる。
【図面の簡単な説明】
【００１５】
【図１】図１は、本考案の好適な実施例に係る引戸式開閉装置を昇降口に設置した状態を示す単管足場の部分平面図である。
【図２】図２（Ａ）、図２（Ｂ）、図２（Ｃ）、図２（Ｄ）及び図２（Ｅ）は、図１に示すスライド扉の全体構成を示す平面図、正面図、右側面図、Ｉ−Ｉ線断面図及び部分拡大断面図である。
【図３】図３は、図２に示す支柱の構造を示す正面図である。
【図４】図４（Ａ）、図４（Ｂ）、図４（Ｃ）及び図４（Ｄ）は、支柱を構成する水平支持管の構造を示す平面図、正面図、側面図及び縦断面図であり、図４（Ｅ）及び図４（Ｆ）は、水平支持管の管体構造を示す平面図及び縦断面図である。
【図５】図５は、図２に示すスライド扉の構造を示す正面図である。
【図６】図６は、図２に示す補強管の構造を示す正面図である。
【図７】図７は、図２に示す引戸式開閉装置の開閉動作を示す正面図であり、図７（Ａ）には、引戸式開閉装置によって昇降口を閉鎖した状態が示されており、図７（Ｂ）には、引戸をスライドさせて昇降口を開放した状態が示されている。
【図８】図８は、上下一対のローラによるスライド扉の支持状態（比較例）を概念的に示す線図である。
【図９】図９は、上下二対のローラによるスライド扉の支持状態（本実施例）を概念的に示す線図である。
【図１０】図１０（Ａ）、図１０（Ｂ）及び図１０（Ｃ）は、本発明の他の実施例に係るスライドバー式開閉装置によって昇降口を閉鎖した状態を示す単管足場の平面図、正面図及び断面図である。
【図１１】図１１（Ａ）及び図１１（Ｂ）は、スライドバー式開閉装置を手動操作して昇降口を開放した状態を示す単管足場の平面図及び正面図である。
【図１２】図１２（Ａ）及び図１２（Ｂ）は、スライドバー式開閉装置の全体構成を示す平面図及び正面図であり、図１２（Ｃ）及び図１２（Ｄ）は、図１２（Ｂ）のII−II線及びIII−III線における断面図であり、図１２（Ｅ）は、スライドバーの開閉動作を示す平面図である。
【図１３】図１３（Ａ）、図１３（Ｂ）、図１３（Ｃ）及び図１３（Ｄ）は、図１２に示す水平支持管の構造を示す平面図、正面図、側面図及び縦断面図であり、図１３（Ｅ）及び図１３（Ｆ）は、水平支持管の管体構造を示す横断面図及び縦断面図である。
【図１４】図１４（Ａ）、図１４（Ｂ）及び図１４（Ｃ）は、図１２に示すスライドバーの構造を示す平面図、正面図及び側面図であり、図１４（Ｄ）は、図１４（Ｂ）のIV−IV線における断面図である。
【図１５】図１５は、従来の片開き式開閉扉を昇降口に設置した状態を示す単管足場の部分平面図である。
【図１６】図１６は、チェーンを昇降口に設置した状態を示す単管足場の部分平面図である。
【考案を実施するための形態】
【００１６】
本考案の好適な実施形態によれば、上記扉は、金属管を一体化した正面視矩形又は方形の枠体からなり、上記スライドバーは、金属管からなる。好ましくは、上記第１及び第２支承具は、扉の上枠を構成する金属管の上側面、或いは、スライドバーの上側面に転接する一対のローラからなり、上記第３及び第４支承具は、扉の下枠を構成する金属管の下側面、或いは、スライドバーの下側面に転接する一対のローラからなる。更に好ましくは、扉又はスライドバーの重心移動によって扉又はスライドバーに作用する力学的モーメント（Ｍ：Ｍ’）に抗する反力（Ｒ、Ｒ’）が、移動時の扉又はスライドバーの傾斜又は傾倒を防止するように、第１及び第４支承具、或いは、第２及び第３支承具に作用する。
【００１７】
本考案の更に好適な実施形態によれば、第１及び第３支承具は上下方向に整列配置され、第２及び第４支承具は上下方向に整列配置される。
【００１８】
好ましくは、上記引戸の枠体は、上下の水平管と、上下の水平管の開口部側端部に一体的に連接した垂直管と、開口部の反対の側において上下の水平管の端部に分離可能に連結した補強管とから構成される。更に好ましくは、支柱は、上枠及び下枠が夫々貫通する上下一対の水平管部分と、水平管部分を支持する垂直管部分とを有し、上下の水平管部分は上下対称な構造を有する。所望により、扉は、上枠及び下枠の間に配置された水平な中桟を有し、上記支柱は、中桟が水平移動可能に貫通する貫通孔を有する。
【００１９】
好適には、水平管部分は、ローラを部分的に管内領域に挿入可能な切欠き部を備えるとともに、ローラを軸支する水平支軸を備えており、水平支軸の中心軸線は、扉又はスライドバーの移動方向と直交する方向に配向される。
【００２０】
好ましくは、上記扉は、支柱に衝合して扉の水平移動を制限する移動阻止手段を有する。移動阻止手段は、作業者の開閉操作を容易にする。移動阻止手段は又、開閉操作時又は引戸の移設時等に扉の遊動範囲を制限し、作業者の手指が部材間に挟まれる事態を防止する。同様に、上記スライドバー式開閉装置は、スライドバーの水平移動を制限する移動阻止手段を有する。
【００２１】
更に好ましくは、扉又はスライドバーは、可撓性線材からなる索条と、索条に連結された係留具と、係留具を係止可能な係留具保持手段とを有し、索条は、仮設足場の構成部材を周回して係留具保持手段に係留され、扉又はスライドバーを閉鎖位置に保持する。所望により、引戸式開閉装置の移設時等に索条を支柱廻りに周回せしめ、係留具を係留保持手段に係止しても良い。このように引戸式開閉装置の索条を用いた場合、引戸式開閉装置の移設時等におけるの遊動範囲を索条によって制限することができる。
【実施例１】
【００２２】
以下、添付図面を参照して、本考案の好適な実施例について詳細に説明する。
【００２３】
図１は、本考案の好適な実施例に係る引戸式開閉装置を昇降口に設置した状態を示す単管足場の部分平面図である。図２（Ａ）、図２（Ｂ）、図２（Ｃ）、図２（Ｄ）及び図２（Ｅ）は、本考案の実施例に係るスライド扉の全体構成を示す平面図、正面図、右側面図、Ｉ−Ｉ線断面図及び部分拡大断面図である。なお、底面図及び背面図は、平面図及び正面図と実質的に同一又は対称であるので、図示を省略する。
【００２４】
図１に示す如く、単管足場１は、鋼製パイプからなる建地２、布（図示せず）、腕木３、手摺４及び中桟５等を緊結金具（クランプ金具）７によって相互連結して多層構造に組付け、筋交い（図示せず）及び足場板６等を鋼製パイプの骨組に取付けた全体構成を有し、建設中の建築物Ａの外壁面に沿って配置される。
【００２５】
昇降口Ｐは、手摺４及び中桟５の離間によって形成された仮設足場の側面開口からなる。昇降用の梯子Ｓを支持する支持杆８が昇降口Ｐに隣接して単管足場１の側方に突出する。昇降口Ｐには、引戸式開閉装置１０が落下防止手段として設置される。引戸式開閉装置１０は、手摺４及び中桟５に沿って水平移動可能なスライド扉４０を備える。スライド扉４０は、支柱２０によって面内方向（Ｘ方向）に水平移動するように支承され、支柱２０は、建地２、手摺４等に固定される。スライド扉４０は、仮想線で示すように手摺４及び中桟５に沿ってスライドし、昇降口Ｐを開放し又は閉鎖する。
【００２６】
図２に示す如く、引戸式開閉装置１０は、建地２、手摺４等に固定可能な支柱２０と、支柱２０にスライド可能に支持されたスライド扉４０と、スライド扉４０の端部に分離可能に固定された補強管６０とから構成される。スライド扉４０及び補強管６０は、概ね正面視方形又は矩形の枠体を構成する。本例において、支柱２０、スライド扉４０及び補強管６０は、構造用鋼管等の鋼材を一体的に組付けることにより製作される。
【００２７】
支柱２０は、上下方向に延びる垂直管２１と、支柱２０の上端部及び下端部に配設された上下一対の水平支持管２２とを有する。水平支持管２２は、垂直管２１の中心軸線に対し、開口部Ｐと反対の側に偏心した相対位置に配置される。スライド扉４０は、上下一対の水平管４１を有する。水平管４１は、水平支持管２２を貫通し、中桟４４は、支柱２０の水平貫通孔２９を貫通する。図１に示すように、上側の水平支持管２２は、緊結金具７によって手摺４に固定される。垂直管２１は、緊結金具（図示せず）によって建地２に固定される。所望により、支柱２０を支持するための短管（図示せず）等を建地２、腕木３、手摺４、中桟５等に固定し、このような短管に対して垂直管２１及び／又は水平支持管２２を緊締又は緊結しても良い。
【００２８】
図３は、支柱２０の構造を示す正面図である。図４（Ａ）、図４（Ｂ）、図４（Ｃ）及び図４（Ｄ）は、水平支持管２２の構造を示す平面図、正面図、側面図及び縦断面図であり、図４（Ｅ）及び図４（Ｆ）は、水平支持管２２の管体構造を示す平面図及び縦断面図である。
【００２９】
上下一対の水平支持管２２は、図３に示すように上下対称の構造を有する。図４には、上側の水平支持管２２の構成が示されている。水平支持管２２は、スライド扉４０の移動方向（スライド方向）Ｘに所定間隔Ｌを隔てて配置された左右一対の樹脂製ローラ２３ａ：２３ｂを有する。水平支持管２２の管体２５の各端部には、図４（Ｅ）及び図４（Ｆ）に示すように切欠き部２７が形成され、各ローラ２３ａ：２３ｂは、切欠き部２７を介して管内領域に部分的に収容される。左右一対のローラ支持具２４が、切欠き部２７に跨がって各ローラ２３ａ：２３ｂを外側から囲むように管体２５に固定される。各ローラ２３ａ：２３ｂを回転可能に軸支する支軸２６が、ローラ支持具２４の側壁を貫通する。支軸２６の中心軸線は、管体２５の移動方向Ｘと直交する方向に配向される。各ローラ２３ａ：２３ｂは、管体２５内に挿入された水平管４１（図４（Ｃ）及び図４（Ｄ）に破線で示す）を移動方向Ｘに案内するように水平管４１の上側面に転接する。
【００３０】
図５は、スライド扉４０の構造を示す正面図である。スライド扉４０は、上下の水平管４１を相互連結する垂直管４２を有する。垂直管４２の上端部及び下端部は、湾曲管部分４３を介して上下の水平管４１の外端部に連接する。垂直管４２には、スライド扉４０の高さ方向中心領域に連結された水平な管状中桟４４が連結される。水平管４１は、湾曲管部分４３の近傍にボルト孔４７ａを備える。図２に示すように、ボルト・ナット組立体４７がボルト孔４７ａに挿通され、締付けられる。ボルト・ナット組立体４７は、水平管４１の側面から僅かに突出しており、支柱２０に衝合してスライド扉４０の水平移動を制限するストッパ、即ち、移動阻止手段を構成する。所望により、引戸式開閉装置１０の開閉操作を容易にするための把手４５（図２に破線で示す）が垂直管４２の内側部分に配設される。支柱に衝合して扉の水平移動を制限する移動阻止手段として把手４５を用いても良い。図２に示すように、係留用トグルピン５１を挿入可能なソケット部材４９が、垂直管４２の外側面に固定される。トグルピン５１に連結された可撓性索条（ワイヤ）５２が、中桟４４の外端部に穿設された保持孔４６に挿通され、中桟４４に係留される。
【００３１】
図６は、補強管６０の構造を示す正面図である。補強管６０は垂直な管体からなる。上下一対の挿し込み管部分６１が補強管６０の上端部及び下端部に突設されるとともに、ソケット状の中桟受け部分６２が補強管６０の高さ方向中間部分に突設される。挿し込み管部分６１は、図２に示すように、水平管４１の端部開口に挿入され、固定用のボルト・ナット組立体６５が、挿し込み管部分６１のボルト孔６３および水平管４１のボルト孔４７ｂ（図５）に挿通される。また、中桟４４の端部が、図２に示すように中桟受け部分６２に挿入される。スライド扉４０及び補強管６０は、上下のボルト・ナット組立体６５の締付けによって一体化し、図２に示す如く、一体的な方形又は矩形の枠体を形成する。ボルト・ナット組立体６５は、水平管４１の側面から僅かに突出しており、支柱２０に衝合してスライド扉４０の水平移動を制限するストッパ、即ち、移動阻止手段を構成する。
【００３２】
図７は、引戸式開閉装置１０の開閉動作を示す正面図である。図７（Ａ）には、引戸式開閉装置１０によって昇降口Ｐを閉鎖した状態が示されており、図７（Ｂ）には、引戸式開閉装置１０をスライドさせて昇降口Ｐを開放した状態が示されている。
【００３３】
図７（Ａ）に示す閉鎖位置においては、トグルピン５１はソケット部材４９に挿入され、中桟４４に係留された索条５２は、建地２を周回しており、スライド扉４０は、閉鎖位置に保持される。トグルピン５１をソケット部材４９から引き抜き、スライド扉４０を手動操作で移動方向Ｘ（開放方向）にスライドさせると、ローラ２３（２３ａ：２３ｂ：２３ｃ：２３ｄ）は回転し、スライド扉４０は、ローラ２３（２３ａ：２３ｂ：２３ｃ：２３ｄ）に支承された状態で面内方向に水平移動し、図７（Ｂ）に示す如く、昇降口Ｐを開放する。スライド扉４０は、ボルト・ナット組立体４７が水平支持管２２に衝合することにより制止される。開放位置のスライド扉４０を手動操作で移動方向Ｘ（閉鎖方向）にスライドさせると、ローラ２３（２３ａ：２３ｂ：２３ｃ：２３ｄ）は回転し、スライド扉４０は、ローラ２３（２３ａ：２３ｂ：２３ｃ：２３ｄ）に支承された状態で面内方向に水平移動し、図７（Ａ）に示す如く、昇降口Ｐを閉鎖する。スライド扉４０は、ボルト・ナット組立体６５が水平支持管２２に衝合することにより制止される。建地２を周回するように索条５２を変形させてトグルピン５１をソケット部材４９に挿入すると、スライド扉４０は、閉鎖位置に保持される。
【００３４】
図８は、上下一対のローラ２３によるスライド扉４０の支持状態（比較例）を概念的に示す線図であり、図９は、上下二対のローラ２３（２３ａ：２３ｂ：２３ｃ：２３ｄ）によるスライド扉４０の支持状態（本実施例）を概念的に示す線図である。
【００３５】
上下一対のローラ２３のみによってスライド扉４０を支持した状態が、比較例として図８（Ａ）に示されている。図８（Ｂ）及び図８（Ｃ）に示す如く、スライド扉４０の重心Ｇは、開閉操作時にローラ２３の各側に変位し、反時計廻りの力学的モーメントＭと、時計廻り方向の力学的モーメントＭ’とがスライド扉４０の位置に相応して発生する。この結果、スライド扉４０は、図８（Ｂ）及び図８（Ｃ）に示す如く傾斜又は傾倒し、スライド扉４０の開閉操作を困難にする。
【００３６】
これに対し、本考案においては、図９（Ａ）に示すように上下二対のローラ２３（２３ａ：２３ｂ：２３ｃ：２３ｄ）によってスライド扉４０が支持される。図９（Ｂ）及び図９（Ｃ）に示す如く、スライド扉４０の重心Ｇは、開閉操作時にローラ２３（２３ａ：２３ｂ：２３ｃ：２３ｄ）の各側に変位し、反時計廻りの力学的モーメントＭと、時計廻り方向の力学的モーメントＭ’とが発生するが、モーメントＭ、Ｍ’を支持し又は打ち消す反力Ｒ、Ｒ’が、対角線方向に位置する一対のローラ２３ａ、２３ｄ、或いは、一対のローラ２３ｂ、２３ｃによって確保されるので、スライド扉４０は傾斜又は傾倒せず、従って、作業者は、スライド扉４０を円滑に開閉操作することができる。
【実施例２】
【００３７】
図１０（Ａ）、図１０（Ｂ）及び図１０（Ｃ）は、本発明の他の実施例に係るスライドバー式開閉装置によって昇降口を閉鎖した状態を示す単管足場の平面図、正面図及び断面図である。図１１（Ａ）及び図１１（Ｂ）は、スライドバー式開閉装置を手動操作して昇降口を開放した状態を示す単管足場の平面図及び正面図である。以下の各図において、前述の実施例の構成要素又は構成部材と実質的に同一又は同等の構成要素又は構成部材については、同一の参照符号が付されている。
【００３８】
単管足場１は、鋼製パイプからなる建地２、布９、腕木３、手摺４及び中桟５等を緊結金具（クランプ金具）７によって相互連結して多層構造に組付け、筋交い（図示せず）及び足場板６等を鋼製パイプの骨組に取付けた全体構成を有し、建設中の建築（図示せず）の外壁面に沿って配置される。なお、図１０及び図１１には、単管足場１の外側部分のみが示されている。
【００３９】
スライドバー式開閉装置７０のスライドバー８０が、図１０に示すように中桟５のレベルに配置される。スライドバー式開閉装置７０は、スライドバー８０を支持する水平支持管７２を備える。水平支持管７２は、緊結金具７によって中桟５に固定される。図１０に示す閉鎖位置においては、スライドバー８０は水平支持管７２から突出して、昇降口Ｐ（図１１）を閉鎖する。スライドバー８０の先端部は、可撓性索条（ワイヤ）９２によって中桟５等に係留される。水平支持管７２に引き込むようにスライドバー８０を矢印Ｘ方向にスライドさせると、図１１に示すように、潜り戸開口形態の昇降口Ｐが手摺４の下側に形成される。
【００４０】
図１２（Ａ）及び図１２（Ｂ）は、スライドバー式開閉装置７０の全体構成を示す平面図及び正面図であり、図１２（Ｃ）及び図１２（Ｄ）は、図１２（Ｂ）のII−II線及びIII−III線における断面図である。図１２（Ｅ）は、スライドバー８０の開閉動作を示す平面図である。図１３（Ａ）、図１３（Ｂ）、図１３（Ｃ）及び図１３（Ｄ）は、水平支持管７２の構造を示す平面図、正面図、側面図及び縦断面図であり、図１３（Ｅ）及び図１３（Ｆ）は、水平支持管７２の管体構造を示す横断面図及び縦断面図である。図１４（Ａ）、図１４（Ｂ）及び図１４（Ｃ）は、スライドバー８０の構造を示す平面図、正面図及び側面図であり、図１４（Ｄ）は、図１４（Ｂ）のIV−IV線における断面図である。
【００４１】
図１２に示すように、水平支持管７２は、スライドバー８０の移動方向（スライド方向）Ｘに所定間隔Ｌを隔てて配置された左右一対且つ上下一対の樹脂製ローラ７３ａ：７３ｂ：７３ｃ：７３ｄを有する。水平支持管７２の管体７５の各端部には、図１３（Ｅ）及び図１３（Ｆ）に示すように切欠き部７７が形成される。各ローラ７３（７３ａ：７３ｂ：７３ｃ：７３ｄ）は、切欠き部７７を介して管内領域に部分的に収容される。左右一対のローラ支持具７４が、切欠き部７７に跨がって各ローラ７３を外側から囲むように管体７５に固定される。各ローラ７３を回転可能に軸支する支軸７６が、ローラ支持具７４の側壁を貫通する。支軸７６の中心軸線は、管体７５の軸線方向（移動方向Ｘ）と直交する方向に配向される。各ローラ７３は、管体７５内に挿入されたスライドバー８０（図１３（Ｄ）に破線で示す）を移動方向Ｘに案内するようにスライドバー８０に転接する。スライドバー８０の上側面は、ローラ７３ａ：７３ｂによって軸線方向に水平移動可能に支承され、スライドバー８０の下側面は、ローラ７３ｃ：７３ｄによって軸線方向に水平移動可能に支承される。
【００４２】
スライドバー８０の構造が図１４に示されている。スライドバー８０は、構造用鋼管又は金属管からなる。スライドバー８０の基端部８１は真円形断面を有する。基端部８１を除くスライドバー８０の側面には、潰し加工が施されており、窪み８２が、基端部８１を除くスライドバー８０の全長に亘って延びる。スライドバー８０の先端部には、係留用トグルピン９１（図１２）を挿通可能な貫通孔８３が形成されるとともに、輸送・搬送時等にトグルピン９１が挿入されるソケット部材８４が取付けられる。また、スライドバー８０の先端部には、トグルピン９１に連結された可撓性索条（ワイヤ）９２（図１２）を係留するための保持孔８５が穿設される。
【００４３】
図１２（Ａ）及び図１２（Ｂ）に示すように、トグルピン９１は貫通孔８３に挿入され、索条９２のループが、スライドバー８０の先端部に形成される。図１０（Ａ）に示すように索条９２のループが中桟５を周回することにより、スライドバー８０は、閉鎖位置に保持される。トグルピン９１を貫通孔８３から引き抜き、索条９２のループを開放することにより、スライドバー８０を手動操作で移動方向Ｘ（開放方向）にスライドさせることができる。
【００４４】
図１２（Ｅ）には、スライドバー８０の引込み位置（左図）と、スライドバー８０の突出位置（右図）とが示されている。スライドバー８０を手動操作で移動方向Ｘにスライドさせると、ローラ７３（７３ａ：７３ｂ：７３ｃ：７３ｄ）は回転し、スライドバー８０は、各ローラ７３に支承された状態で軸線方向に水平移動する。従って、昇降口Ｐは、スライドバー８０のスライド運動に相応して、図１０に示す如く閉鎖し、或いは、図１１に示す如く開放する。
【００４５】
スライドバー８０の突出位置を示す図１２（Ｅ）の右図には、トグルピン９１をソケット部材８４に挿入した状態が示されている。ソケット部材８４は、スライドバー８０に沿って延びるので、ソケット部材８４に挿入したトグルピン９１は、スライドバー８０の輸送・搬送等の障害になり難い。ソケット部材８４は又、図１２（Ｅ）の左図に示すように、スライドバー８０の引込み時に水平支持管７２に衝合してスライドバー８０の引込み位置を規制するストッパとして機能する。
【００４６】
水平支持管７２は、スライドバー８０の突出位置を規制するためのストッパ用ボルト７８を備えるとともに、スライドバー８０の位置を固定するための固定用ボルト７９を備える。図１２（Ｄ）に示すように、ボルト７８の先端部は、水平支持管７２の管内領域に突出し、スライドバー８０の窪み８２に受け入れられる。図１２（Ａ）及び図１２（Ｂ）に示すようにスライドバー８０を突出させると、ボルト７８の先端部は、スライドバー８０の基端部８１（図１４）に衝合し、スライドバー８０の突出を規制する。図１２（Ｃ）及び図１３（Ｃ）に示すように、ボルト７９の先端部も又、水平支持管７２の管内領域に突出し、スライドバー８０の窪み８２に受け入れられる。ボルト７９を締付けることにより、ボルト７９の先端部はスライドバー８０の側面に圧接する。従って、ボルト７９の締付け力によってスライドバー８０を固定することができる。なお、ボルト７９の先端部に対向する突起７５ａ（図１３（Ｃ）及び図１３（Ｅ））がエンボス加工によって水平支持管７２の内側面に形成される。スライドバー８０は、ボルト７９の締付けにより、ボルト７９及び突起７５ａによって挟持される。
【００４７】
前述の実施例と同じく、本実施例においても、上下二対（左右一対且つ上下一対）のローラ７３（７３ａ：７３ｂ：７３ｃ：７３ｄ）によってスライドバー８０が支持される。スライドバー８０の重心は、開閉操作時に水平支持管７２の各側に変位するので、反時計廻りの力学的モーメントと、時計廻り方向の力学的モーメントとが発生する。しかしながら、各モーメントを支持し又は打ち消す反力が、対角線方向に位置する一対のローラ７３ａ、７３ｄ、或いは、一対のローラ７３ｂ、７３ｃによって確保されるので、スライドバー８０は傾斜又は傾倒せず、従って、作業者は、スライドバー８０を円滑に開閉操作することができる。
【００４８】
以上、本考案の好適な実施例について詳細に説明したが、本考案は上記実施例に限定されるものではなく、実用新案登録請求の範囲に記載された本考案の範囲内で種々の変形又は変更が可能である。
【００４９】
例えば、上記実施例では、上下二対の支承具（ローラ）を備えているが、上下三対又は四対の支承具を支柱に配設することも可能である。
【００５０】
また、上記実施例では、扉及び支柱は、構造用鋼管等の鋼材によって製作されているが、ステンレス鋼、アルミニウム合金等の他の金属管材又は金属部材によって扉及び支柱を製作しても良い。
【００５１】
更に、上記実施例においては、水平支持管は、垂直管の中心軸線に対し、昇降口開口と反対の側に偏心した相対位置に配置されているが、水平支持管を昇降口開口の側に偏心した位置に配置し、或いは、水平支持管を垂直管と整列させ、垂直管の直上位置又は直下位置に左右対称に配置しても良い。
【００５２】
また、上記実施例は、単管足場の昇降用開口に設けられた引戸式開閉装置に関するものであるが、枠組足場等の昇降用開口に本考案の引戸式開閉装置又はスライドバー式開閉装置を設置しても良い。
【００５３】
更には、上記実施例においては、スライドバー式開閉装置は、中桟に設置されているが、スライドバー式開閉装置は、昇降口の開口形態に相応して適宜配置し得る構成のものであり、例えば、スライドバー式開閉装置を手摺に設置し、或いは、手摺及び中桟の双方に設置することも可能である。
【産業上の利用可能性】
【００５４】
本考案の引戸式開閉装置又はスライドバー式開閉装置は、建築物又は土木構造物等の建設工事用仮設足場に設けられる昇降用開口の落下防止手段として好適に使用し得る。所望により、本考案の引戸式開閉装置又はスライドバー式開閉装置を常設足場の昇降用引戸式開閉装置又はスライドバー式開閉装置として使用しても良い。本考案によれば、引戸式開閉装置の扉、或いは、スライドバー式開閉装置のスライドバーは、通路幅を比較的狭い寸法に設定した仮設足場においても昇降用の側面開口部を十分に開放することができ、しかも、通路と昇降手段との間で移動する作業者が比較的容易に扉又はスライドバーを開閉操作することができるので、本考案の実利性又は実用的効果は、顕著である。
【符号の説明】
【００５５】
１  単管足場（仮設足場）
１０  引戸式開閉装置
２０  支柱
２２、７２  水平支持管
２３（23a:23b:23c:23d）、７３（73a:73b:73c:73d）  ローラ（支承具）
２４、７４  ローラ支持具
２５、７５  管体
４０  スライド扉
４１  水平管
４２  垂直管
４４  中桟
６０  補強管
７０  スライドバー式開閉装置
８０  スライドバー
Ｐ  昇降口（側面開口部）
Ｘ  移動方向（スライド方向）
Ｌ  所定間隔
Ｍ：Ｍ’  力学的モーメント
Ｒ：Ｒ’  反力
【図１】
0003171964.tif 000003
【図２】
0003171964.tif 000004
【図３】
0003171964.tif 000005
【図４】
0003171964.tif 000006
【図５】
0003171964.tif 000007
【図６】
0003171964.tif 000008
【図７】
0003171964.tif 000009
【図８】
0003171964.tif 000010
【図９】
0003171964.tif 000011
【図１０】
0003171964.tif 000012
【図１１】
0003171964.tif 000013
【図１２】
0003171964.tif 000014
【図１３】
0003171964.tif 000015
【図１４】
0003171964.tif 000016
【図１５】
0003171964.tif 000017
【図１６】
0003171964.tif 000018